(57)【要約】【課題】  直流系統内の端子変換器の電圧が上限電圧を逸脱するという課題があった。【解決手段】  直流系統内の直流ケーブルの端子に連系した複数の端子変換器の出力電流を取得する取得部と、時間断面毎に端子変換器毎に想定される出力電流の組合せパターンを設定する出力電流想定部と、直流ケーブルの区間毎に通過電流の分布を計算する電流分布計算部と、組合せパターン毎に分布から区間毎に上昇又は降下の電圧差を計算する電圧差計算部と、組合せパターン毎に電圧差から最も電圧が高い最高地点を抽出して最高地点の電圧が直流系統の上限電圧に一致するように直流系統の電圧分布を決定する電圧分布決定部と、全ての組合せパターンの電圧分布から端子変換器毎に電圧値の分散を計算する電圧分散計算部と、分散の値を用いて電圧一定制御とする端子変換器を一つ決定する電圧一定制御決定部と、残りの端子変換器に目標電圧を配信する目標電圧配信部とを備えている。【選択図】  図１
2019208337.tif 000002
【特許請求の範囲】
【請求項１】
直流系統内の直流ケーブルの端子に連系した複数の端子変換器の出力電流を取得する取得部と、
時間断面毎に前記端子変換器毎に想定される前記出力電流の組合せパターンを設定する出力電流想定部と、
前記直流ケーブルの区間毎に通過電流の分布を計算する電流分布計算部と、
前記組合せパターン毎に前記分布から前記区間毎に上昇又は降下の電圧差を計算する電圧差計算部と、
前記組合せパターン毎に前記電圧差から最も電圧が高い最高地点を抽出して前記最高地点の電圧が前記直流系統の上限電圧に一致するように前記直流系統の電圧分布を決定する電圧分布決定部と、
全ての前記組合せパターンの前記電圧分布から前記端子変換器毎に電圧値の分散を計算する電圧分散計算部と、
前記分散の値を用いて電圧一定制御とする前記端子変換器を一つ決定する電圧一定制御決定部と、
残りの前記端子変換器に目標電圧を配信する目標電圧配信部とを備えたことを特徴とする直流変換器の制御装置。
【請求項２】
直流系統内の直流ケーブルの端子に連系した複数の端子変換器の出力電流を取得する取得部と、
時間断面毎に前記端子変換器毎に想定される前記出力電流の組合せパターンを設定する出力電流想定部と、
前記直流ケーブルの区間毎に通過電流の分布を計算する電流分布計算部と、
前記組合せパターン毎に前記分布から前記区間毎に上昇又は降下の電圧差を計算する電圧差計算部と、
前記組合せパターン毎に前記電圧差から最も電圧が高い最高地点を抽出して前記最高地点の電圧が前記直流系統の上限電圧に一致するように前記直流系統の電圧分布を決定する電圧分布決定部と、
全ての前記組合せパターンの前記電圧分布から前記端子変換器毎に電圧値の分散を計算する電圧分散計算部と、
前記分散の値を用いて電圧一定制御とする前記端子変換器を一つ決定する電圧一定制御決定部と、
前記組合せパターン毎の前記電圧分布における当該端子変換器の連系点電圧と想定した当該端子変換器の前記出力電流との組合せからＶ−Ｉ特性を決定するＶ−Ｉ特性決定部と、
当該端子変換器の前記出力電流に応じて前記Ｖ−Ｉ特性から求めた目標電圧を配信するV−Ｉ特性配信部とを備えたことを特徴とする直流変換器の制御装置。
【請求項３】
請求項１又は請求項２に記載の直流変換器の制御装置であって、
前記時間断面毎に前記端子変換器毎に前記出力電流の実績を蓄積する出力実績データベースを備えたことを特徴とする直流変換器の制御装置。
【請求項４】
請求項３に記載の直流変換器の制御装置であって、
前記出力実績データベースは、気象条件と関連付けて前記実績を蓄積し、
前記出力電流想定部は、前記出力実績データベースにある前記気象条件及び時間断面の条件の少なくともいずれか一方を用いて前記端子変換器毎の前記出力電流の前記組合せパターンを設定することを特徴とする直流変換器の制御装置。
【請求項５】
請求項１に記載の直流変換器の制御装置であって、
前記端子変換器毎の前記出力電流の中で絶対値が最大となる最大電流値を抽出し、当該端子変換器の定格電流と前記最大電流とを対比して前記端子変換器毎の前記定格電流までの電流尤度を計算する電流尤度算出部を備え、
前記電圧一定制御決定部は、前記電流尤度が所定値以上の中で前記分散の前記値が最も小さい前記端子変換器を前記電圧一定制御に決定することを特徴とする直流変換器の制御装置。
【請求項６】
請求項１から請求項５のいずれか１項に記載の直流変換器の制御装置であって、
前記電圧一定制御決定部は、前記分散の前記値が最も小さい前記端子変換器を前記電圧一定制御に決定することを特徴とする直流変換器の制御装置。
【発明の詳細な説明】
【技術分野】
【０００１】
本発明は、直流系統の端子に連系された端子変換器の制御モードを決定する直流変換器の制御装置に関する。
【背景技術】
【０００２】
交流系統に対して電力損失が少なく、効率的に電力を輸送することが可能な直流系統が注目されている。直流系統は、直流ケーブルと、直流ケーブルの端子に連系する少なくとも１台の端子変換器と、直流ケーブルの任意の場所に連系する負荷設備及び発電設備等から構成される。
【０００３】
ここで、端子変換器としては、隣接する他の電圧階級の直流系統、直流負荷設備、直流発電設備との間で電力を相互融通するＤＣ／ＤＣ変換器（直流直流変換器）、または隣接する交流系統、交流負荷設備、交流発電設備との間で電力を相互融通するＡＣ／ＤＣ変換器（交流直流変換器）が挙げられる。
【０００４】
各端子変換器は、直流系統内の電圧を適正に維持するとともに、直流系統に出入りする電流値の総和がゼロとなるように、すなわち電力の需給バランスが維持されるように出力電流を制御するが、基本的には電圧一定制御とするか電流一定制御とするか、いずれかに分けられる。
【０００５】
電圧一定制御の端子変換器では、直流系統との連系点電圧が与えられた目標電圧と合致するように出力電圧を制御する。電圧一定制御での電流は、直流系統内の他の端子変換器の出力電流の総和に正負符号を反転した電流値が成行きで出力される。また、電流一定制御の端子変換器では、与えられた目標電流と合致するように出力電流を制御する。
【０００６】
一般的には、１台の端子変換器が電圧一定制御、他の端子変換器が電流一定制御となる。従来、各端子変換器を電圧一定制御とするか電流一定制御とするかの設定方法について開示されている（例えば、特許文献１、特許文献２）。
【０００７】
特許文献１では、複数の端子変換器のうち、直流系統へ電流を流し込む送電電力が最大の順変換器（交流から直流方向へ変換する変換器）、又は直流系統から電流を取り出す受電電力が最小の逆変換器（直流から交流方向へ変換する変換器）を電圧一定制御している。電圧を所定値に維持する制御を行って直流系統内の電圧を維持する役割を担い、他の端子変換器が電流一定制御を行うことによって、電力融通の負担が電圧一定制御を行う端子変換器に集中することを回避している。
【０００８】
また、特許文献２では、電圧一定制御の端子変換器が故障した場合には、容量の大きい順に電圧一定制御とする端子変換器を決定する方式となっている。このように、直流電圧一定制御とする端子変換器は、基本的には容量の大小によって選定するのが従来の代表的な方式である。
【０００９】
これは、直流系統内に出入りする電流の総和がゼロでなくなり、電力不足、電力余剰が生じた際には、電流一定制御の端子変換器が出力を変化させて吸収するまでの制御遅れの間は、電圧一定制御の端子変換器が一時的に全ての電力不足、電力余剰を負担する。このため、可能な限り出力に余裕のある端子変換器を電圧一定制御に選定したほうが、変換器の過負荷出力になる危険性が低くなり、直流系統の安定性が向上するためである。
【００１０】
また、非特許文献１では、電圧一定制御とする端子変換器の出力電圧を固定とせず、図２０のような、目標電圧の上限電圧及び下限電圧の近傍では変換器定格電流が増大しない（他の領域では線形性がある）Ｖ−Ｉ特性（電圧−電流特性）を設定し、自身の出力電流に応じた出力電圧値を決定する方式が提案されている。
【００１１】
直流系統内では、オームの法則Ｖ＝Ｉ×Ｒ（Ｖは２点間の電圧差、Ｉは２点間に流れる電流、Ｒは２点間の直流ケーブルの抵抗値）にしたがい、電流の流れる方向に系統電圧が下がる。したがって、一般には、端子変換器からの出力電流が、直流系統へ電流を流し込む順方向（図２０での正方向）の場合では、端子変換器から見て電圧は徐々に下がっていくことが予想されるため、目標電圧は高めに設定する。逆に主力電流が電流を取り出す逆方向（図２０での負方向）の場合では、端子変換器から見て電圧は徐々に上がっていくことが予想されるため、目標電圧は低めに設定する。
【先行技術文献】
【特許文献】
【００１２】
【特許文献１】特開昭６０−２４１７１６
【特許文献２】特開平７−１３１９３６
【非特許文献】
【００１３】
【非特許文献１】W.Wang, M.Barnes, O.Marfanovic, “Droop Control Modelling and Analysis of Multi-terminal VSC-HVDC for Offshore Wind Farms”, AC and DC Power Transmission (ACDC 2012) 10th IET International Conference on IET, 2012,pp.1-6.
【発明の概要】
【発明が解決しようとする課題】
【００１４】
変換する電力の大きさ又は変換器容量だけで電圧一定制御とする端子変換器を選定すると、直流系統内で消費される電力損失が最小とはならない。
【００１５】
すわなち、直流系統内で発生する電力損失は、主に端子変換器で電力変換する際に生じる変換器損失と、直流ケーブルに電流が流れることで生じる線路損失とからなるが、いずれも概ね電流の二乗に比例する。
【００１６】
ここで、通常、電流一定制御の各端子変換器から直流系統に電流を流し込む送電電流、又は電流を取り出す受電電流の大きさは、各端子変換器が送電・受電しようとしている電力によって決定される。直流系統では、電力＝電圧×電流と定義される。このため、直流系統の電圧を全般に高く維持する、端子変換器、直流ケーブルに流れる電流は小さくて済み、したがって電力損失も小さくすることができる。
【００１７】
しかしながら、電圧一定制御の端子変換器電圧の目標電圧を固定にすると、直流系統内の電流分布がどのように変化しても、電圧分布が常に規程の上下限内に収まるように目標電圧を設定するため、常に高めに維持することはできない。
【００１８】
また、図２０のようなＶ−Ｉ特性を用いて制御するにしろ、直流系統に繋がる端子変換器が３台以上となり、電流分布が多様化する多端子直流系統では、電圧一定制御の出力電流が同じであっても、直流系統内の電流・電圧分布が一意に決定できない。
【００１９】
図２２及び図２３は、直流系統における端子変換器の出力電流と直流系統の電圧分布を示す図である。例えば、図２１のような４端子からなる直流系統において、図２２及び図２３のように、端子変換器ａが電圧一定制御、他の端子変換器ｂから端子変換器ｄが電流一定制御である場合を考える。図２２及び図２３ともに、端子変換器ａの出力電流は９００Ａである。図２２では端子変換器ａの出力電圧をＶ１にすると、電流は最小となるが、Ｖ２にすると同じ電力を送電するために直流系統の電流は多くなり、変換器損失や線路損失は増える。一方、図２３では、端子変換器ａの出力電圧をＶ１にすると、端子変換器ｄで上限電圧を逸脱するため、出力電圧をＶ２にする必要がある。両ケースで電圧逸脱が発生しないようにするためには、端子変換器の出力電圧はＶ２にする必要がある。その結果、Ｖ−Ｉ特性を用いても、常に電圧を高めに維持し、電力損失を低減することはできない。
【課題を解決するための手段】
【００２０】
本発明の直流変換器の制御装置は、直流系統内の直流ケーブルの端子に連系した複数の端子変換器の出力電流を取得する取得部と、時間断面毎に端子変換器毎に想定される出力電流の組合せパターンを設定する出力電流想定部と、直流ケーブルの区間毎に通過電流の分布を計算する電流分布計算部と、組合せパターン毎に分布から区間毎に上昇又は降下の電圧差を計算する電圧差計算部と、組合せパターン毎に電圧差から最も電圧が高い最高地点を抽出して最高地点の電圧が直流系統の上限電圧に一致するように直流系統の電圧分布を決定する電圧分布決定部と、全ての組合せパターンの電圧分布から端子変換器毎に電圧値の分散を計算する電圧分散計算部と、分散の値を用いて電圧一定制御とする端子変換器を一つ決定する電圧一定制御決定部と、残りの端子変換器に目標電圧を配信する目標電圧配信部とを備えたことを特徴とする直流変換器の制御装置である。
【００２１】
また、本発明の直流変換器の制御装置は、直流系統内の直流ケーブルの端子に連系した複数の端子変換器の出力電流を取得する取得部と、時間断面毎に端子変換器毎に想定される出力電流の組合せパターンを設定する出力電流想定部と、直流ケーブルの区間毎に通過電流の分布を計算する電流分布計算部と、組合せパターン毎に分布から区間毎に上昇又は降下の電圧差を計算する電圧差計算部と、組合せパターン毎に電圧差から最も電圧が高い最高地点を抽出して最高地点の電圧が直流系統の上限電圧に一致するように直流系統の電圧分布を決定する電圧分布決定部と、全ての組合せパターンの電圧分布から端子変換器毎に電圧値の分散を計算する電圧分散計算部と、分散の値を用いて電圧一定制御とする端子変換器を一つ決定する電圧一定制御決定部と、組合せパターン毎の電圧分布における当該端子変換器の連系点電圧と想定した当該端子変換器の出力電流との組合せからＶ−Ｉ特性を決定するＶ−Ｉ特性決定部と、当該端子変換器の出力電流に応じてＶ−Ｉ特性から求めた目標電圧を配信するV−Ｉ特性配信部とを備えたことを特徴とする直流変換器の制御装置である。
【発明の効果】
【００２２】
本発明の直流変換器の制御装置によれば、直流系統内の電圧分布を高めに維持することができる。
【図面の簡単な説明】
【００２３】
【図１】実施の形態１に係る直流変換器の制御装置とその周辺の構成を示すブロック図である。
【図２】実施の形態１に係るデータ取得処理フローの動作の一例を示すフローチャートである。
【図３】実施の形態１に係る出力実績ＤＢのデータ構造の例を示す図である。
【図４】実施の形態１に係る電圧一定制御変換器決定処理フローの動作の一例を示すフローチャートである。
【図５】実施の形態１に係る組合せパターン毎に端子変換器の想定電流の例を示す図である。
【図６】実施の形態１に係る系統設備ＤＢのデータ構造の例を示す図である。
【図７】実施の形態１に電流分布計算部の計算結果の例を示す図である。
【図８】実施の形態１に係る電圧差計算部の計算結果の例を示す図である。
【図９】実施の形態１に係る電圧分布決定部の計算結果の例を示す図である。
【図１０】実施の形態１に係るステップＳ２０８の計算結果の例を示す図である。
【図１１】実施の形態１に係る電圧分散算出結果の例を示す図である。
【図１２】実施の形態１に係る電圧分布決定結果の例を示す図である。
【図１３】実施の形態２に係る直流変換器の制御装置とその周辺の構成を示すブロック図である。
【図１４】実施の形態２に係る電圧一定制御変換器決定処理フローの動作の一例を示すフローチャートである。
【図１５】実施の形態２に係る電圧分布計算と電流尤度計算の結果の例の例を示す図である。
【図１６】実施の形態３に係る直流変換器の制御装置とその周辺の構成を示すブロック図である。
【図１７】実施の形態３に係る電圧一定制御変換器決定処理フローの動作の一例を示すフローチャートである。
【図１８】実施の形態３に係る端子変換器毎に設定された電流と電圧の組合せの例を示す図である。
【図１９】実施の形態３に係る想定電流と連系点電圧の組合せとＶ−Ｉ特性の例を示すイメージ図である。
【図２０】Ｖ−Ｉ特性の一例を示す図である。
【図２１】直流系統の一例を示す図である。
【図２２】端子変換器の出力電流と直流系統の電圧分布を示す一例の図である。
【図２３】端子変換器の出力電流と直流系統の電圧分布を示す一例の図である。
【発明を実施するための形態】
【００２４】
実施の形態１．
＜構成＞
図１は、実施の形態１に係る直流変換器の制御装置２とその周辺の構成の一例を示すブロック図である。監視制御対象となる直流系統において、直流ケーブル１には他の交流系統との間で電力を相互融通するＡＣ／ＤＣ変換器と、他の直流系統との間で電力を相互融通するＤＣ／ＤＣ変換器とが連系されている。また、直流ケーブル１には負荷設備との間で電力を相互融通する端子変換器が少なくとも一つは連系されている。さらに、直流ケーブル１には発電設備との間で電力を相互融通する端子変換器が少なくとも一つは連系されている。このため、図１では、端子変換器Ａから端子変換器Ｄの４台としているが、これに限るものではない。
【００２５】
直流変換器の制御装置２は、光通信、メタル通信、無線通信等の通信網を介して、各端子変換器と繋がっている。直流変換器の制御装置２は、例えば、ＤＢと表現しているデータベースは記憶装置であり、その余の部と表現されるものは演算装置であり、通信網を介して入出力をおこなっている。
【００２６】
出力実績取得部１２は、各端子変換器から送られた出力電流実績（出力電流値）を受信し、出力実績ＤＢ１３に記録する。
【００２７】
気象条件取得部１１は、直流系統に繋がる負荷設備、発電設備から流入又は流出する電流値に関連する要因として、天気、気温、湿度等の気象情報を取得し、出力実績ＤＢ１３に記録する。
【００２８】
出力電流想定部１４は、出力実績ＤＢ１３から、現在と同条件又は類似条件である季節、時間帯、天気、気温、湿度の時間断面を複数抽出し、個々の時間断面で記録されている各端子変換器の出力電流値を現在から想定されうる出力電流の１つの組合せパターンとして設定する。したがって、抽出した時間断面数だけ、組合せパターンが生成されることになる。
【００２９】
電流分布計算部１５は、出力電流想定部１４の組合せパターン毎に、各端子変換器の出力電流値と、系統設備ＤＢ１６に記録されている系統トポロジーとから、直流ケーブル各区間（端子変換器及び系統分岐点で区切られた直流ケーブル１の単位）毎に流れる電流値を算出する。
【００３０】
電圧差計算部１７は、組合せパターン毎、直流ケーブル区間毎に設定された電流値と、系統設備ＤＢ１６に記録されている直流ケーブル区間毎の線路インピーダンス値から、オームの法則等にしたがい、直流ケーブル区間で生じる電圧変化幅（区間両端での電圧上昇幅・電圧降下幅）を算出する。
【００３１】
電圧分布決定部１８は、組合せパターン毎に、電圧差計算の結果で最も電圧が高くなると判断された直流系統内の地点（端子変換器又は系統分岐点）の電圧が、上限電圧に合致するように、直流系統の電圧分布を決定する。
【００３２】
電圧分散計算部１９は、電圧分布決定部１８で決定した組合せパターン毎の電圧分布から、端子変換器別に電圧値を集計しなおし、その度数分布の分散を計算する。したがって、地点毎の電圧値は、組合せパターン数だけ集計されることになる。
【００３３】
電圧一定制御決定部２０は、電圧度数計算部で算出した分布の中で、もっとも分布の広がりが狭い、すなわち統計上の分散値が最も小さい端子変換器を選定する。図１の例では、端子変換器Ｄが選定されている。
【００３４】
目標電圧決定部２１は、電圧一定制御決定部２０で選定した端子変換器の電圧度数分布の中から最小電圧値を選定し、この最小電圧値を電圧一定制御とする端子変換器（図１の例では端子変換器Ｄ）の目標電圧値として設定する。
【００３５】
制御モード・目標電圧配信部２２は、電圧一定制御に選定した端子変換器（端子変換器Ｄ）に対しては、電圧一定制御モードで、目標電圧決定部２１で設定した目標電圧となるように制御するよう指令を送信する。その他の端子変換器（図１の例では端子変換器ＡからＣ）に対しては、本発明の制御対象外であり、別途された目標電流となるように制御する（制御の方法は問わない）電流一定制御モードで制御するように指令を送信する。
【００３６】
＜動作＞
図２は、直流変換器の制御装置２における、出力実績取得部１２と気象条件取得部１１とによるデータ取得処理フローの動作の一例を示すフローチャートである。図２に示す処理の動作は、予め定められた直流系統内の端子変換器と直流変換器の制御装置２との通信周期（例えば、１０分周期）に合わせた定周期で開始する。
【００３７】
ステップＳ１１において、出力実績取得部１２は、各端子変換器が計測した端子変換器毎の現在の出力電流値（出力電流実績）を受信する。
【００３８】
ステップＳ１２において、出力実績取得部１２は、受信した個々の出力電流値を出力実績ＤＢ１３に保存する。出力電流値を出力実績ＤＢ１３に保存するさいには、受信時刻に対応する時刻、受信もとの端子変換器に対応する端子変換器ＩＤの箇所に保存する。換言すると、出力実績取得部１２は、端子変換器ＩＤ毎に出力電流値と計測時刻とを出力実績ＤＢ１３に保存する、なお、ＩＤとは識別番号のことである。
【００３９】
ステップＳ１３において、気象条件取得部１１は、図示していない外部の気象情報提供システムから、例えば、現在の天気（晴、曇、雨、雪等）、現在の気温、現在の湿度等で構成される現在の気象情報を受信する。ここで、現在とは入手できる直近の情報のことである。また、気象情報は、気象情報提供システムからではなく、直流系統近傍に日照計、日射計、温湿度計等を設置して取得してもよい。
【００４０】
ステップＳ１４において、気象条件取得部１１は、受信した気象情報を出力実績ＤＢ１３内にある、受信時刻に対応する時刻、対応した気象条件項目の箇所に保存する。
【００４１】
図３は、出力実績ＤＢ１３のデータ構造の例を示す図である。天気、気温、湿度の気象条件と共に、時系列で端子変換器ＩＤ毎に計測された電流値である。端子変換器からの出力電流及び位相条件は、時系列データとして蓄積される。出力電流は正負の符号付で表現される。この例では、直流系統に電流を流し込む方向を正値、直流系統から電流を取り出す方向を負値としている。
【００４２】
図４は、直流変換器の制御装置２における、出力電流想定部１４、電流分布計算部１５、電圧差計算部１７、電圧分布決定部１８、電圧分散計算部１９、電圧一定制御決定部２０、目標電圧決定部２１、及び制御モード・目標電圧配信部２２による、電圧一定制御変換器決定処理フローの動作の一例を示すフローチャートである。このフロー処理の動作は、予め定められた所定の周期（例えば、１時間周期）で実施してもよいし、現在の気象状態の変化、各端子変換器の出力電流の大幅な変化をトリガーとして起動してもよい。
【００４３】
ステップＳ２０１において、出力電流想定部１４は、出力実績ＤＢ１３から、直近の気象情報を取得する。
【００４４】
ステップＳ２０２において、出力電流想定部１４は、出力実績ＤＢ１３内に記録された一連の時間断面の中から、出力電流想定部１４は、現在と同じ季節、曜日、時間帯（例えば、１０：００〜１１：００等）、及び直近の気象情報と類似の気象条件（気象状態）に該当する時間断面を選定する。
【００４５】
気象状態が類似か否かは、天気では、例えば、現在が晴なら、同じように日照がある程度ある晴と曇とを類似とし、現在が曇なら、晴、曇・雨を類似とし、現在が雨なら、日照の少ない曇と雨を類似と見なすことが考えられる。また、気温では、例えば、現在気温±３℃以内を類似とすることが考えられる。また湿度では、例えば、現在湿度±１０％以内を類似と見なすことが考えられる。
【００４６】
ステップＳ２０３において、出力電流想定部１４は、選定した時間断面の各端子変換器の出力電流値の組合せパターンを想定電流として設定する。換言すると、出力電流想定部１４は、選定した時間断面毎に、出力実績ＤＢ１３から各端子変換器の出力電流値を取得し、各端子変換器の想定電流を一組の組合せパターンとして設定する。
【００４７】
例えば、現在時刻が１０：００直前で、直近の気象状況として天気が晴又は曇、気温が５℃、湿度が３０％であり、１０：００〜１１：００の間での電圧一定制御とする端子変換器とその目標電圧を決定したい場合には、図３に例示した出力実績ＤＢ１３の中から、その条件に合致する時間断面を全て抽出し、個々の時間断面の端子変換器の出力電流を図５のように一組の組合せパターンとして設定する。図５では、組合せパターンＩＤ毎に端子変換器ＩＤ（この例ではＡ〜Ｄ）の想定電流を求めている。
【００４８】
ステップＳ２０４において、電流分布計算部１５は、未処理の想定電流の組合せパターンを１組取得する。
【００４９】
ステップＳ２０５において、電流分布計算部１５は、取得した組合せパターンの端子変換器の出力電流と、系統設備ＤＢ１６に記録されている系統トポロジーから、直流ケーブル各区間（端子変換器や系統分岐点で区切られた直流ケーブル１の単位）毎に流れる電流値を算出する。換言すると、電流分布計算部１５は、直流ケーブル区間毎に、通過電流を端子変換器の出力電流及び系統トポロジーから算出することになる。
【００５０】
図６は、系統設備ＤＢ１６のデータ構造の例を示す図である。直流系統は、端子変換器又は系統分岐点に該当するノードと、ノードとノードとを結ぶブランチすなわち直流ケーブル区間として表現されている。各ノードには、当該設備のＩＤ、上限電圧、下限電圧、及び端子変換器の場合は変換器の定格電流が記録されている。また、各ブランチには、両端のノードＩＤ、及び線路インピーダンスが系統設備ＤＢ１６に記録されている。
【００５１】
図７は、電流分布計算部１５の計算結果の例を示す図である。図５の各組合せパターンＩＤ毎に、図６の系統トポロジーをあらわすノード・ブランチデータから、ブランチＩＤ（各ブランチ）、すなわち直流ケーブル区間に流れる電流を算出した結果である。ここでは、ノード１（端子変換器Ａ）とは反対方向に流れる電流を正値、ノード１に向かって流れる電流を負値としている。
【００５２】
各ブランチに流れる電流は、各端子変換器の出力電流の加算及び減算で算出する。例えば、組合せパターン１のケースでは、ブランチ１には、端子変換器Ａからの出力電流＋９００Ａのみが流れるため、（＋９００Ａ）となる。ブランチ２には、端子変換器Ｂの出力電流−３００Ａのみが流れるため（＋３００Ａ）となる。ブランチ３には、ブランチ１からの（＋９００Ａ）がブランチ２へ（＋３００Ａ）分流するため、（＋９００Ａ）−（＋３００Ａ）＝（＋６００Ａ）として算出される。
【００５３】
ステップＳ２０６において、電圧差計算部１７は、ステップＳ２５で算出された各ブランチに流れる電流と、系統設備ＤＢ１６に記録されているブランチの線路インピーダンス値とから、ブランチ内で生じる電圧変化幅、すなわち直流ケーブル区間両端での電圧上昇幅又は電圧降下幅を算出する。換言すると、電圧差計算部１７は、直流ケーブル区間毎に、通過電流と線路インピーダンスから電圧変化幅を算出することになる。
【００５４】
図８は、電圧差計算部１７の計算結果の例を示す図である。電圧差はオームの法則に従い、「２点間の電圧差（Ｖ）＝２点間に流れる電流（Ａ）×２点間の抵抗値（Ω）」により、図７のブランチ毎に、算出した電流値に、図６の線路インピーダンス値を乗じて電圧差を計算している。ここでは、ノード１（端子変換器Ａ）の電圧値を基準に、電圧が上がる方向を正値、下がる方向を負値としている。例えば、組合せパターン１のブランチ１に流れる電流は、ノード１からノード方向に（＋９００Ａ）であり、インピーダンスは１０Ωであるから、ノード１から見て、電圧は９００×１０＝９，０００Ｖ＝９ｋＶ下がるため、−９ｋＶとなっている。
【００５５】
ステップＳ２０７において、電圧分布決定部１８は、いずれかのノードを基準点として、ステップＳ２０６の計算結果から、各ノードと基準点との電圧差をノード毎に計算する。換言すると、電圧分布決定部１８は、直流内の基準点と各点との電圧差を算出することになる。
【００５６】
図９は、電圧分布決定部１８の計算結果の例を示す図である。ノード１を基準点としている。ノード１から各ノードに至る経路の各ブランチでの電圧差（図８の計算結果）を加算していくことで求められる。例えば、組合せパターン１での端子変換器Ｄ（ブランチ５）は、端子変換器Ａから、ブランチ１、ブランチ３、ブランチ５を経るため、端子変換器Ａとの電圧差は、（−９ｋＶ）＋（−１２ｋＶ）＋（−６ｋＶ）＝−２７ｋＶとなる。
【００５７】
ステップＳ２０８において、電圧分布決定部１８は、ステップＳ２０７の各ノードと基準ノードとの電圧差の計算結果から、最も電圧が高いノード（電圧最高ノード）を特定し、最も電圧高いノード（電圧最高ノード）の電圧が上限電圧に合致するように、各ノードの電圧値を以下の計算式で算出する。換言すると、電圧分布決定部１８は、電圧が最も高い点の電圧を上限電圧に合致するように電圧分布を決定することになる。
【００５８】
すなわち、各ノード電圧＝（基準ノードとの電圧差）＋（上限電圧−電圧最高ノードと基準ノードとの電圧差）、で算出する。
【００５９】
図１０は、ステップＳ２０８の計算結果の例を示す図である。例えば、組合せパターン１では、図９の結果では、ノード１が最も電圧が高いため、電圧最高ノードはノード１となる。そこで、ノード１の電圧が、図６の上限電圧７００ｋＶに合致するように、各ノードの電圧を算出する。例えば、ノード２では、（−９ｋＶ）＋（７００ｋＶ−０ｋＶ）＝６９１ｋＶである。別の例として、組合せパターン２では、図９の結果ではノード６が最も電圧が高いため、電圧最高ノードはノード６となる。そこで、ノード２の電圧は、（−９ｋＶ）＋（７００Ｖ−（＋１９ｋＶ））＝６７２ｋＶとなる。
【００６０】
ステップＳ２０９において、ステップＳ２０３で設定した全ての想定電流組合せパターンに対して、処理が完了したか否かを判定し、完了していればステップＳ２１０へ、未完了であればステップＳ２０４へと移る。
【００６１】
ステップＳ２１０において、電圧分散計算部１９は、端子変換器に該当するノード毎に、ステップＳ２０３で設定した全ての組合せパターンから、ステップＳ２０８で決定された電圧分布計算結果の電圧値を取得し、その度数分布の分布の広がり度合いとして標準偏差（又はその２乗値である分散値）を求める。換言すると、電圧分散計算部１９は、端子変換器毎に全組合せパターンを通しての電圧分布を算出して順位付けをすることになる。
【００６２】
例えば、図１０の結果から、端子変換器Ａに該当するノード１の電圧は、７００ｋＶ，６８１ｋＶ，６８５ｋＶ，・・・という電圧が得ら、端子変換器Ｃに該当するノード５の電圧は、６７８．７ｋＶ，６８３．７ｋＶ，６８８ｋＶ，・・・という電圧が得られる。
【００６３】
図１１は、電圧分散算出結果の例を示す図である。度数分布グラフに置き換え、分散の広がり具合の指標として標準偏差を端子変換器毎に求めている。この例では端子変換器Cの標準偏差が２．５Vで最も小さいため、頻度の山は最も鋭くなっている。反対に、端子変換器Dの標準偏差が９．５Vで最も大きいため、頻度の山は最もなだらかになっている。
【００６４】
また、図１２は、標準偏差の小さい順に端子変換器を順序付けし、分布の標準偏差と、分布での最小電圧（最低電圧）とをリスト化した電圧分布決定結果の例を示す図である。
【００６５】
ステップＳ２１１において、電圧一定制御決定部２０は、ステップＳ２１０の結果、最も電圧度数分布の広がりが小さかった、すなわち標準偏差又は分散値が最も小さかった端子変換器を、電圧一定制御とする端子変換器として選定する。換言すると、電圧一定制御決定部２０は、分布の広がりが最小の変換器を電圧一定制御として選定することになる。
【００６６】
ステップＳ２１２において、目標電圧決定部２１は、ステップＳ２１０で求めた電圧分布の中で、ステップＳ２１１で選定した電圧一定制御の電圧分布を抽出し、選定した電圧一定制御の分布の最小電圧を目標電圧として設定する。換言すると、目標電圧決定部２１は、電圧一定制御に選定した端子変換器（当該端子変換器）の電圧分布最小値を目標電圧に設定することになる。
【００６７】
このように、各端子変換器の入出力電流とそれによる直流系統の電流分布ケースを網羅的に想定し、想定ケース毎に端子間の電圧差を計算することで電圧が最大となる地点を求め、その地点の電圧が上限電圧値に接するように当該想定ケースの電圧分布を設定し、全ての想定ケースを通して連系点電圧が最も任意の電圧値に集中した端子変換器を電圧一定制御の端子変換器に選定することになる。
【００６８】
ステップＳ２１３において、制御モード・目標電圧配信部２２は、ステップＳ２１１にて電圧一定制御に選定した端子変換器に対しては、ステップＳ２１２にて設定した目標電圧となるように、電圧一定制御モードで運転するよう送信し、他の端子変換器に対しては電流一定制御モードで運転するように送信する。換言すると、制御モード・目標電圧配信部２２は、各端子変換器へ制御モードと、電圧一定制御の端子変換器へ目標電圧を送信する。
【００６９】
これによって、電圧度数分布の最大値を目標電圧として固定することで、いかなる想定ケースにおいても上限逸脱が発生しないようにしつつ、可能な限り電圧高め維持と、それによる電力損失低減が可能となる。
【００７０】
本実施の形態の例では、各ブランチに流れる電流、電圧差は、簡単な四則演算で簡易計算しているが、例えば、より高精度に直流ケーブル１の線路損失、対地静電容量、端子変換器の変換損失等による電流及び電圧の変化を考慮した収束計算等で計算してもよい。
【００７１】
このように、直流ケーブルの端子に連系した少なくとも２つの端子変換器を含む直流系統における、電圧一定制御とする端子変換器を選定し、その目標電圧を決定する直流変換器の制御装置であって、端子変換器毎に想定されうる出力電流の組合せパターンを設定する出力電流想定部と、パターン毎に出力電流想定の結果から直流系統内の直流ケーブル毎に通過電流を計算する電流分布計算部と、パターン毎に電流分布計算の結果から直流ケーブル毎に電圧上昇・降下幅を計算する電圧差計算部と、パターン毎に電圧差計算結果から直流系統内で最も電圧が高くなる地点を探し、その地点の電圧が直流系統の上限電圧に一致するように直流系統の電圧分布を決定する電圧分布決定部と、全てのパターンの電圧分布から端子変換器毎に電圧値の度数分布の広がり具合を計算する電圧分散計算部と、電圧度数分布が狭いすなわち度数分布の広がりが小さい順に端子変換器を順序付け、その上位の端子変換器を電圧一定制御とする端子変換器候補として選定するので、想定される様々な電流分布において、可能な限り電圧分布を上限近くに維持できるように、電圧一定制御とする端子変換器を選定できる。また、電圧を高みに維持する結果、同じ電力を送る場合、電流を小さくできるので、電流の２乗にほぼ比例する電力損失を低減できる。
【００７２】
また、時間断面毎に各端子変換器の出力電流実績を蓄積する出力実績ＤＢを備え、出力電流想定部は、過去所定期間の１つの時間断面での各端子変換器の出力電流の組合せを１つの出力電流の組合せパターンとして設定するので、過去の実績から電流分布を簡単に想定できる。
【００７３】
さらに、出力電流想定部は、出力実績ＤＢの中から電圧一定制御とする端子変換器を決定する対象となる開始時刻から終了時刻の間で予想される天気、気温、湿度など気象条件が合致もしくは類似し、季節・曜日・一日の時間帯など時刻条件が合致する時間断面のみを選定し、選定した個々の時間断面での各端子変換器の出力電流の組合せを１つの出力電流の組合せパターンとして設定するので、気象条件や時刻に応じた、精度の高い電流分布の想定が可能となる。
【００７４】
以上のように、直流変換器の制御装置は、直流系統内の直流ケーブルの端子に連系した複数の端子変換器の出力電流を取得する取得部と、時間断面毎に端子変換器毎に想定される出力電流の組合せパターンを設定する出力電流想定部と、直流ケーブルの区間毎に通過電流の分布を計算する電流分布計算部と、組合せパターン毎に分布から区間毎に上昇又は降下の電圧差を計算する電圧差計算部と、組合せパターン毎に電圧差から最も電圧が高い最高地点を抽出して最高地点の電圧が直流系統の上限電圧に一致するように直流系統の電圧分布を決定する電圧分布決定部と、全ての組合せパターンの電圧分布から端子変換器毎に電圧値の分散を計算する電圧分散計算部と、分散の値を用いて電圧一定制御とする端子変換器を一つ決定する電圧一定制御決定部と、残りの端子変換器に目標電圧を配信する目標電圧配信部とを備えている。
【００７５】
また、直流変換器の制御装置は、時間断面毎に端子変換器毎に出力電流の実績を蓄積する出力実績データベースを備えている。さらに、出力実績データベースは、気象条件と関連付けて実績を蓄積し、出力電流想定部は、出力実績データベースにある気象条件及び時間断面の条件の少なくともいずれか一方を用いて端子変換器毎の出力電流の組合せパターンを設定している。
【００７６】
さらに、電圧一定制御決定部は、分散の値が最も小さい端子変換器を電圧一定制御に決定している。
【００７７】
本形態によれば、直流系統で想定される電流分布においては、直流系統全体の電圧分布を高めに維持できる。その結果、同じ電力を端子変換器間で融通する場合に、直流系統に流れる電流値を小さくすることができるため、電力損失を低減できる。
【００７８】
実施の形態２．
＜構成＞
図１３は、実施の形態２による直流変換器の制御装置と、その周辺の構成との一例を示すブロック図である。実施の形態１との差異は、電流尤度計算部２３が追加されている点にある。それ以外の構成は、実施の形態１で説明した点については、同様であるため説明を省略する。
【００７９】
電流尤度計算部２３は、出力電流想定部１４で想定された全ての組合せパターンの中で、端子変換器毎の出力電流値の中から、その絶対値が最大となる最大電流値を抽出し、系統設備ＤＢ１６に記録される定格電流と比較して、端子変換器の電流尤度を計算する。
【００８０】
また、図において、同一の符号を付したものは、同一またはこれに相当するものであり、このことは明細書の全文、図面の全図において共通することである。さらに、明細書全文に表れている構成要素の形態は、あくまで例示であってこれらの記載に限定されるものではない。以下、実施の形態１と差異のある点のみ説明する。
【００８１】
＜動作＞
直流変換器の制御装置２における、出力実績取得部１２と気象条件取得部１１によるデータ取得処理フローの動作は、実施の形態１に同じであるため、説明を省略する。
【００８２】
図１４は、直流変換器の制御装置２における、出力電流想定部１４、電流尤度計算部２３、電流分布計算部１５、電圧差計算部１７、電圧分布決定部１８、電圧分散計算部１９、電圧一定制御決定部２０、目標電圧決定部２１、制御モード・目標電圧配信部２２、及び電流尤度計算部２３による、電圧一定制御変換器決定処理フローの動作の一例を示すフローチャートである。ステップＳ２０１からステップＳ２１０まで、ステップＳ２１２、ステップＳ２１３は、図４のステップと同じであるため、説明を省略する。
【００８３】
ステップＳ３０１において、電流尤度計算部２３は、出力電流想定部１４で想定された端子変換器毎の複数の出力電流値の中から、端子変換器毎に、絶対値が最大となる出力電流値を抽出する。抽出した最大電流値と、系統設備ＤＢ１６に記録される定格電流の絶対値との差分を想定電流から更に何アンペアの出力余裕があるかとして、その端子変換器の電流尤度として算出する。
【００８４】
また、最大電流値と、系統設備ＤＢ１６に記録される定格電流の絶対値との差分を定格電流の絶対値で除した値を電流尤度としてもよい。この場合は、更に定格比で何％の出力余裕があるかという指標になる。いずれにしても、電流尤度計算部２３は、端子変換器毎に想定電流の最大値から電流尤度を算出することになる。
【００８５】
ステップＳ３０２において、電圧一定制御決定部２０は、ステップＳ２１０及びステップＳ３０１の結果から、電流尤度が所定値以上で、かつ最も電圧度数分布の広がりが小さかった、すなわち標準偏差又は分散値が最も小さかった端子変換器を、電圧一定制御とする端子変換器として選定する。電流尤度の前記所定値は、過去の想定電流からの想定外れ実績等から算出することが考えられる。換言すると、電圧一定制御決定部２０は、電流尤度が所定以上で、分布の広がりが最小の変換器を電圧一定制御に選定することになる。
【００８６】
図１５は、電圧分散計算部１９及び電流尤度計算部２３の計算結果の例を示す図である。同例では、順位が１位の端子変換器Ｃの電流尤度が十分にあるため、端子変換器Ｃを電圧一定制御に選定するが、もし端子変換器Ｃの電流尤度が小さければ（例えば１００Ａ以下）、次の順位である端子変換器Ｂを電圧一定制御に選定する。
【００８７】
このように、出力電流想定部１４で想定した端子変換器毎の複数の出力電流の中で、電流絶対値が最大の電流値を抽出し、その端子変換器の定格電流と対比し、端子変換器毎の定格電流までの電流尤度を計算する電流尤度計算部２３を備え、電圧一定制御決定部２０は、電流尤度が所定以上であり、かつ、電圧度数分布が狭い、すなわち度数分布の広がりが小さい端子変換器を電圧一定制御とする端子変換器候補として選定するので、電力損失の低減のみならず、変換器過負荷を回避できる。
【００８８】
以上のように、直流変換器の制御装置は、直流系統内の直流ケーブルの端子に連系した複数の端子変換器の出力電流を取得する取得部と、時間断面毎に端子変換器毎に想定される出力電流の組合せパターンを設定する出力電流想定部と、直流ケーブルの区間毎に通過電流の分布を計算する電流分布計算部と、組合せパターン毎に分布から区間毎に上昇又は降下の電圧差を計算する電圧差計算部と、組合せパターン毎に電圧差から最も電圧が高い最高地点を抽出して最高地点の電圧が直流系統の上限電圧に一致するように直流系統の電圧分布を決定する電圧分布決定部と、全ての組合せパターンの電圧分布から端子変換器毎に電圧値の分散を計算する電圧分散計算部と、分散の値を用いて電圧一定制御とする端子変換器を一つ決定する電圧一定制御決定部と、残りの端子変換器に目標電圧を配信する目標電圧配信部とを備えている。
【００８９】
また、直流変換器の制御装置は、端子変換器毎の出力電流の中で絶対値が最大となる最大電流値を抽出し、当該端子変換器の定格電流と最大電流とを対比して端子変換器毎の定格電流までの電流尤度を計算する電流尤度算出部を備えている。さらに、電圧一定制御決定部は、電流尤度が所定値以上の中で分散の値が最も小さい端子変換器を電圧一定制御に決定している。
【００９０】
本形態によれば、直流系統で想定される電流分布を超えるような電流が端子変換器に流れるような場合においても、端子変換器に過負荷を発生させること無く、直流系統全体の電圧分布を高めに維持できる。
【００９１】
実施の形態３．
＜構成＞
図１６は、本実施の形態３による直流変換器の制御装置２と、その周辺の構成との一例を示すブロック図である。実施の形態１との差異は、電圧・電流対応設定部２４が追加され、目標電圧決定部２１の代わりにＶ−Ｉ特性決定部２５に、制御モード・目標電圧配信部２２の代わりに制御モード・Ｖ−Ｉ特性配信部２６に、なっている点にある。以下、実施の形態１と差異のある点のみ説明する。
【００９２】
電圧・電流対応設定部２４は、組合せパターン毎に、電圧分布決定部１８で決定した決定した電圧分布から、端子変換器毎の連系点電圧値と、組合せパターンでの端子変換器の想定出力電流値とを抽出する。
【００９３】
Ｖ−Ｉ特性決定部２５は、電圧・電流対応設定部２４で抽出した、連系点電圧と想定出力電流の中で、電圧一定制御決定部２０で選定された端子変換器に対して電圧と電流との相関を示す近似線をＶ−Ｉ特性（電圧と電流の関係）として算出する。
【００９４】
制御モード・Ｖ−Ｉ特性配信部２６は、電圧一定制御に選定した端子変換器に対しては、電圧一定制御モードで、Ｖ−Ｉ特性決定部２５で設定したＶ−Ｉ特性にしたがって出力電圧を制御するように指令を送信し、その他の端子変換器に対しては、本発明とは関係なく何らかの方法で目標電流となるように制御する電流一定制御モードで制御するように指令を送信する。電圧一定制御に選定した端子変換器以外のその他の端子変換器は、目標電流となるように制御する制御方法であれば制御方法は限定されない。これら以外の構成は、実施の形態１に同じであるので、説明を省略する。
【００９５】
＜動作＞
直流変換器の制御装置２における、出力実績取得部１２と気象条件取得部１１によるデータ取得処理フローの動作は、実施の形態１に同じであるため、説明を省略する。
【００９６】
図１７は、直流変換器の制御装置２における、出力電流想定部１４、電流尤度計算部２３、電流分布計算部１５、電圧差計算部１７、電圧分布決定部１８、電圧分散計算部１９、電圧一定制御決定部２０、電圧・電流対応設定部２４、Ｖ−Ｉ特性決定部２５、及び制御モード・Ｖ−Ｉ特性配信部２６による、電圧一定制御変換器決定処理フローの動作の一例を示すフローチャートである。ステップＳ２０１からステップＳ２０８まで、ステップＳ２０９からステップＳ２１1までは、図４のステップと同じであるため、説明を省略する。
【００９７】
ステップＳ４０１において、電圧・電流対応設定部２４は、ステップＳ２０８にて決定した電圧分布において、端子変換器の連系点、すなわち該当ノードの電圧値を抽出し、そのときの組合せパターンにある同端子変換器の出力電流の値を１つの電圧・電流組合せとして設定する。したがって、最終的には、端子変換器毎に抽出される電圧・電流の組合せは、組合せパターンの数と同じとなる。換言すると、電圧・電流対応設定部２４は、各端子変換器の電圧と電流との組合せを設定することになる。
【００９８】
図１８は、ステップＳ４０１において、端子変換器毎に設定された電流と電圧の組合せの例を示す図である。例えば、組合せパターン１では、ステップＳ２０８において、直流系統の電圧を可能な限り高めに維持しようとした結果、端子変換器Ｃの電圧は６７８．７ｋＶとなり、そのときの想定出力電流は−３００Ａであったことを意味する。
【００９９】
ステップＳ４０３において、Ｖ−Ｉ特性決定部２５は、ステップＳ２１１にて電圧一定制御に決定された端子変換器につき、ステップ４０１にて設定した電流・電圧の組合せから、近似線を求め、Ｖ−Ｉ特性として設定する。換言すると、Ｖ−Ｉ特性決定部２５は、電圧一定制御に選定した端子変換器の複数の電流・電圧組合せから近似線を求めてＶ−Ｉ特性を設定することになる。
【０１００】
図１９は、想定電流と連系点電圧の組合せとＶ−Ｉ特性の例を示すイメージ図であり、横軸を電流、縦軸を電圧とし、１つ１つの小点が、前記１組の電流・電圧を意味する。全ての点に対して、変換器定格電流を両端とする近似線を求め、それを同変換器のＶ−Ｉ特性とする。近似線は、同図のような直線の一次近似でも、二次近似でもよい。
【０１０１】
例えば、電圧一定制御の端子変換器の目標電圧は、パターン毎に、電圧分布決定部１８で決定した電圧分布における同端子変換器の連系点電圧と、その時に想定した同変換器の出力電流との組合せを求め、さらに全パターンの連系点電圧と出力電流の組合せを、電圧・電流の二次元グラフにプロットし、その近似線を以ってＶ−Ｉ特性をＶ−Ｉ特性決定部２５で求めている。目標電圧を固定とせず、出力電流に応じて可変としている。
【０１０２】
ステップＳ４０４において、制御モード・Ｖ−Ｉ特性配信部２６は、ステップＳ２１１にて電圧一定制御に選定した端子変換器に対しては、ステップＳ４０３にて設定したＶ−Ｉ特性に従い、電圧一定制御モードで運転するよう送信し、他の端子変換器に対しては電流一定制御モードで運転するように送信する。換言すると、制御モード・Ｖ−Ｉ特性配信部２６は、各端子変換器へ制御モードと、電圧一定制御の端子変換器へＶ−Ｉ特性とを送信することになる。
【０１０３】
以上のように、直流変換器の制御装置は、直流系統内の直流ケーブルの端子に連系した複数の端子変換器の出力電流を取得する取得部と、時間断面毎に端子変換器毎に想定される出力電流の組合せパターンを設定する出力電流想定部と、直流ケーブルの区間毎に通過電流の分布を計算する電流分布計算部と、組合せパターン毎に分布から区間毎に上昇又は降下の電圧差を計算する電圧差計算部と、組合せパターン毎に電圧差から最も電圧が高い最高地点を抽出して最高地点の電圧が直流系統の上限電圧に一致するように直流系統の電圧分布を決定する電圧分布決定部と、全ての組合せパターンの電圧分布から端子変換器毎に電圧値の分散を計算する電圧分散計算部と、分散の値を用いて電圧一定制御とする端子変換器を一つ決定する電圧一定制御決定部と、組合せパターン毎の電圧分布における当該端子変換器の連系点電圧と想定した当該端子変換器の出力電流との組合せからＶ−Ｉ特性を決定するＶ−Ｉ特性決定部と、当該端子変換器の出力電流に応じてＶ−Ｉ特性から求めた目標電圧を配信するV−Ｉ特性配信部とを備えている。
【０１０４】
本形態によれば、電圧一定制御の端子変換器の目標電圧を、出力電流に応じて上下変化させることで、状況に応じて、直流系統の電圧分布をより高めに維持できる。
【０１０５】
本願発明は、これまで述べてきた実施の形態に限定されるものではなく、本願発明の範囲内で種々に改変することができる。すなわち、これまで述べてきた実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。また、これまで述べてきた実施の形態に開示されている複数の構成要素を適宜組み合わせることにより発明を形成してもよい。さらに、本願発明は、これまで述べてきた実施の形態の範囲ではなく、特許請求の範囲によって示され、特許請求の範囲と均等の意味および範囲内でのすべての変更を含むものである。
【符号の説明】
【０１０６】
１  直流ケーブル、２  制御装置、１１  気象条件取得部、１２  出力実績取得部、１３  出力実績ＤＢ、１４  出力電流想定部、１５  電流分布計算部、１６  系統設備ＤＢ、１７  電圧差計算部、１８  電圧分布決定部、１９  電圧分散計算部、２０  電圧一定制御決定部、２１  目標電圧決定部、２２  制御モード・目標電圧配信部、２３  電流尤度計算部、２４  電圧・電流対応設定部、２５  Ｖ−Ｉ特性決定部、２６  制御モード・Ｖ−Ｉ特性配信部。
【図１】
2019208337.tif 000003
【図２】
2019208337.tif 000004
【図３】
2019208337.tif 000005
【図４】
2019208337.tif 000006
【図５】
2019208337.tif 000007
【図６】
2019208337.tif 000008
【図７】
2019208337.tif 000009
【図８】
2019208337.tif 000010
【図９】
2019208337.tif 000011
【図１０】
2019208337.tif 000012
【図１１】
2019208337.tif 000013
【図１２】
2019208337.tif 000014
【図１３】
2019208337.tif 000015
【図１４】
2019208337.tif 000016
【図１５】
2019208337.tif 000017
【図１６】
2019208337.tif 000018
【図１７】
2019208337.tif 000019
【図１８】
2019208337.tif 000020
【図１９】
2019208337.tif 000021
【図２０】
2019208337.tif 000022
【図２１】
2019208337.tif 000023
【図２２】
2019208337.tif 000024
【図２３】
2019208337.tif 000025